(57)【要約】【課題】有機ＥＬパネル１０を使用し、配置レイアウトの自由度が高い、照明システム１を開発する。【解決手段】照明システム１は、有機ＥＬパネル１０と、送電部材１１によって構成されている。有機ＥＬパネル１０には、長寸給電端子２５と、短寸給電端子２６が混在している。給電端子２５，２６は、針状である。送電部材１１は、側壁５側から、接着剤層５０、底側絶縁層５１、奥側給電層５２、中間絶縁層５３、表面側給電層５５及び化粧紙層５６が積層されたものである。長寸給電端子２５の先端部は、奥側給電層５２に接し、先端部分の電極部３０が、奥側給電層５２と接触している。短寸給電端子２６は、奥側給電層５２に達せず、その先端部は、表面側給電層５５に止まり、表面側給電層５５と接触している。【選択図】  図４
2014179204.tif 000002
【特許請求の範囲】
【請求項１】
発光パネルと被固定部材によって構成され、前記発光パネルを被固定部材に取り付け、被固定部材側から発光パネルに電力を供給して発光パネルを発光させる照明システムにおいて、
発光パネルは表面側に発光領域を有し、裏面側に給電部材が有り、前記給電部材は、法線方向に突出する給電端子を有し、当該給電端子には電極部があり、
前記被固定部材には、絶縁層を挟んで複数の給電層が設けられ、
発光パネルが被固定部材に取り付けられた状態においては、前記給電端子の電極部が少なくとも一つの給電層に接し、他の少なくとも一つの電極部が少なくとも他の一つの給電層に接し、
前記給電層から給電端子を経て発光領域に給電されることを特徴とする照明システム。
【請求項２】
複数の給電端子を有し、当該給電端子に長さが異なるものが混在していることを特徴とする請求項１に記載の照明システム。
【請求項３】
複数の給電端子を有し、当該給電端子には電極部の位置が異なるものが混在していることを特徴とする請求項１又は２に記載の照明システム。
【請求項４】
給電端子に複数の電極部があり、一つの給電端子の特定の電極部が一つの給電層に接し、他の一つの電極部が他の一つの給電層に接することを特徴とする請求項１乃至３のいずれかに記載の照明システム。
【請求項５】
給電端子は、先端部分の表面が電極部として機能し、根本側の表面は絶縁材によって覆われていることを特徴とする請求項１乃至４のいずれかに記載の照明システム。
【請求項６】
給電端子の先端は尖っており、給電端子を被固定部材に差し込むことによって、電極部が給電層に接していることを特徴とする請求項１乃至５のいずれかに記載の照明システム。
【請求項７】
発光パネルの裏面側と被固定部材との間に接着部があり、当該接着部によって発光パネルと被固定部材が結合されていることを特徴とする請求項１乃至６のいずれかに記載の照明システム。
【請求項８】
前記絶縁層を挟んで前記複数の給電層が積層され、面状に広がりを有する送電部材を有し、前記送電部材は、接着剤によって構造物に固定され、前記送電部材の表面側には化粧部材が設けられていることを特徴とする請求項１乃至７のいずれかに記載の照明システム。
【請求項９】
給電層には定電圧回路を経て定電圧が供給され、発光パネルは、面状に広がりを有する基材上に、第１電極層、有機発光層、及び第２電極層が積層された有機ＥＬパネルであり、さらに前記発光パネルには定電流回路が内蔵されていることを特徴とする請求項１乃至８のいずれかに記載の照明システム。
【請求項１０】
給電端子は、逆止構造を有し、被固定部材に挿入する際に要する力に比べて抜き去る際に要する力の方が大きいことを特徴とする請求項１乃至９のいずれかに記載の照明システム。
【発明の詳細な説明】
【技術分野】
【０００１】
本発明は、室内や屋外に設けられる照明システムに関するものである。特に本発明は、有機ＥＬ（Electro Luminescence）パネルの特性を生かした照明システムに関するものである。
【背景技術】
【０００２】
近年、白熱灯や蛍光灯に代わる照明装置として有機ＥＬパネルが注目され、多くの研究がなされている。
【０００３】
ここで、有機ＥＬパネルは、ガラス基板や透明樹脂フィルム、金属シート等の基材に、有機ＥＬ素子を積層し、この有機ＥＬ素子に給電するための給電構造を形成したものである。
有機ＥＬ素子は、一方又は双方が透光性を有する２つの電極を対向させ、この電極の間に有機化合物からなる発光層を積層したものである。有機ＥＬパネルは、電気的に励起された電子と正孔との再結合のエネルギーによって発光する。
すなわち、有機ＥＬパネルは、自発光デバイスであり、発光層の材料を適宜選択することにより、種々の波長の光を発光することができる。
【０００４】
また、有機ＥＬパネルは、白熱灯や蛍光灯、ＬＥＤ照明に比べて厚さが極めて薄く軽量であり、且つ面状に発光するので、設置場所の制約が少ないという特長を有している。さらに、有機ＥＬパネルは、白熱灯や蛍光灯に比べて発光効率が高いので消費電力が少なく、発熱が少ないという特長も有している。
【０００５】
有機ＥＬパネルは、前記した様に厚さが極めて薄いので、室内の壁や天井、床等に敷き詰めることにより、壁全体や天井全体を発光させることができる。
有機ＥＬパネルを壁に貼り詰めた状態で、有機ＥＬパネルに対して給電するための方策が、特許文献１に開示されている。
【０００６】
特許文献１に開示された方策では、壁に導電性テープが一定の間隔で平行に貼られる。導電性テープには直流電圧が印加されている。
一方、有機ＥＬパネルは、背面側にプラスとマイナスの電極が設けられている。そして有機ＥＬパネルの電極を、前記した壁側の導電性テープの位置に合わた状態で、有機ＥＬパネルを壁に貼り付ける。
【先行技術文献】
【特許文献】
【０００７】
【特許文献１】特開２００７−１４７７２５号公報
【発明の概要】
【発明が解決しようとする課題】
【０００８】
特許文献１に開示された方策によると、壁一面に有機ＥＬパネルを敷きつめ、全ての有機ＥＬパネルに給電して発光させることができる。
しかしながら、特許文献１に開示された照明システムは、有機ＥＬパネルの配置レイアウトの自由度が低いという不満がある。
即ち特許文献１に開示された方策は、平行に貼られた導電性テープに、有機ＥＬパネルの電極を接触させて給電するから、有機ＥＬパネルは、導電テープに沿って、真っ直ぐに配置しなければならない。即ち、碁盤の目の様に、行列状にきちんと揃えて有機ＥＬパネルを配置することが必要である。
そのため特許文献１に開示された方策によると、有機ＥＬパネルを斜めに配列したり、千鳥状に並べたり、あるいは傾斜姿勢で配列するという様なレイアウトを実現することができない。
【０００９】
そこで本発明は、従来技術の上記した問題点に注目し、配置レイアウトの自由度が高い、照明システムを開発することを課題とするものである。
【課題を解決するための手段】
【００１０】
上記した課題を解決するための請求項１に記載の発明は、発光パネルと被固定部材によって構成され、前記発光パネルを被固定部材に取り付け、被固定部材側から発光パネルに電力を供給して発光パネルを発光させる照明システムにおいて、発光パネルは表面側に発光領域を有し、裏面側に給電部材が有り、前記給電部材は、法線方向に突出する給電端子を有し、当該給電端子には電極部があり、前記被固定部材には、絶縁層を挟んで複数の給電層が設けられ、発光パネルが被固定部材に取り付けられた状態においては、前記給電端子の電極部が少なくとも一つの給電層に接し、他の少なくとも一つの電極部が少なくとも他の一つの給電層に接し、前記給電層から給電端子を経て発光領域に給電されることを特徴とする照明システムである。
【００１１】
本発明の照明システムでは、発光パネルの裏面側に法線方向に突出する給電端子が設けられている。
一方、被固定部材には、絶縁層を挟んで複数の給電層が設けられている。
本発明の照明システムは、被固定部材の表面側から発光パネルの給電端子を差し込み、特定の電極部を一つの給電層と接触させ、他の電極部を他の給電層と接触させる。
本発明の照明システムによると、発光パネルを必ずしも真っ直ぐに並べる必要がない。そのため本発明の照明システムは、発光パネルを設置する際の配置レイアウトの自由度が高い。
【００１２】
請求項２に記載の発明は、複数の給電端子を有し、当該給電端子に長さが異なるものが混在していることを特徴とする請求項１に記載の照明システムである。
【００１３】
本発明で採用する給電端子には、長さが異なるものが混在している。また前記した様に、本発明で採用する被固定部材は、絶縁層を挟んで複数の給電層が設けられたものであるから、表面から一つの給電層までの距離と、表面から他の給電層までの距離とが相違する。即ち表面に近い側の給電層と、奥側の給電層がある。
そのため長い給電端子は、奥側に配された給電層に到達するが、短い給電端子は、長さが足りず、奥側に配された給電層に到達しない。そのため本来接続されるべき給電層に給電端子が接続されることとなる。
【００１４】
請求項３に記載の発明は、複数の給電端子を有し、当該給電端子には電極部の位置が異なるものが混在していることを特徴とする請求項１又は２に記載の照明システムである。
【００１５】
本発明で採用する給電端子には、電極部の位置が異なるものが混在している。
そのため給電端子の先端側に電極部が設けられている場合には、電極部が奥側に配された給電層に到達するが、根元側に電極部が設けられている場合には、距離が足りず、奥側に配された給電層に到達しない。そのため本来接続されるべき給電層に電極部が接続されることとなる。
【００１６】
請求項４に記載の発明は、給電端子に複数の電極部があり、一つの給電端子の特定の電極部が一つの給電層に接し、他の一つの電極部が他の一つの給電層に接することを特徴とする請求項１乃至３のいずれかに記載の照明システムである。
【００１７】
本発明においても、本来接続されるべき給電層に電極部が接続される。
【００１８】
請求項５に記載の発明は、給電端子は、先端部分の表面が電極部として機能し、根本側の表面は絶縁材によって覆われていることを特徴とする請求項１乃至４のいずれかに記載の照明システムである。
【００１９】
本発明によると、給電端子が本来接触すべきでない給電層に接続されることが防止される。特に長い給電端子は、手前側（表面に近い側）の給電層を通過して奥側の給電層に至るが、本発明では、根本側の表面は絶縁材によって覆われているから、手前側（表面に近い側）の給電層に正規ではない電極部が接触することがない。
【００２０】
請求項６に記載の発明は、給電端子の先端は尖っており、給電端子を被固定部材に差し込むことによって、電極部が給電層に接していることを特徴とする請求項１乃至５のいずれかに記載の照明システムである。
【００２１】
本発明の給電端子は、例えば針状であり、被固定部材に押し込むことによって自ら孔を穿孔し、給電層に達することができる。
また被固定部材に予め下孔が設けられている場合には、当該下孔を押し広げて給電層に達することができる。
【００２２】
請求項７に記載の発明は、発光パネルの裏面側と被固定部材との間に接着部があり、当該接着部によって発光パネルと被固定部材が結合されていることを特徴とする請求項１乃至６のいずれかに記載の照明システムである。
【００２３】
本発明によると、接着部によって発光パネルを被固定部材に固定することができる。接着部は、予め発光パネル側に設けられていても良く、被固定部材側に設けられていてもよい。また施工現場で、いずれか一方に接着剤を塗布することによって接着部を設けてもよい。
【００２４】
請求項８に記載の発明は、絶縁層を挟んで前記複数の給電層が積層され、面状に広がりを有する送電部材を有し、前記送電部材は、接着剤によって構造物に固定され、前記送電部材の表面側には化粧部材が設けられていることを特徴とする請求項１乃至７のいずれかに記載の照明システムである。
【００２５】
本発明の送電部材を建造物に貼ることによって、被固定部材を作ることができる。
また本発明の送電部材は、表面に化粧部材が設けられているから、被固定部材の全ての表面に発光パネルを設けないレイアウトに適している。
即ち発光パネルが設けられていない部位には、化粧部材が露出することとなるから、見栄えが保たれる。
なお化粧部材は、例えば壁紙である。
【００２６】
請求項９に記載の発明は、給電層には定電圧回路を経て定電圧が供給され、発光パネルは、面状に広がりを有する基材上に、第１電極層、有機発光層、及び第２電極層が積層された有機ＥＬパネルであり、さらに前記発光パネルには定電流回路が内蔵されていることを特徴とする請求項１乃至８のいずれかに記載の照明システムである。
【００２７】
本発明では、発光パネルに有機ＥＬパネルが採用されている。また給電層には定電圧回路を経て定電圧が供給されている。そのため発光パネルには、一定の電圧が印加される。また本発明では、発光パネルに定電流回路が内蔵されているから、有機ＥＬ素子には、一定の安定した電流が流れる。そのため各発光パネルの明度や輝度が揃う。また有機ＥＬ素子に流れる電流が一定限度に制限されるから、発光パネルの寿命が長くなる。
【００２８】
請求項１０に記載の発明は、給電端子は、逆止構造を有し、被固定部材に挿入する際に要する力に比べて抜き去る際に要する力の方が大きいことを特徴とする請求項１乃至９のいずれかに記載の照明システムである。
【００２９】
本発明によると、発光パネルの固定が容易である。
【発明の効果】
【００３０】
本発明の照明システムは、従来技術に比べて発光パネルの配置レイアウトの自由度が高い、そのためより斬新なデザインの発光壁や天井を作ることができる。
【図面の簡単な説明】
【００３１】
【図１】本発明の実施形態の照明システムを採用した居住空間の透視図である。
【図２】図１の照明システムの一部断面分解斜視図であり、構造物の側壁と、被固定部材と、発光パネルを示している。
【図３】発光パネルの断面図である。
【図４】発光パネルを被固定部材に装着した状態における断面図である。
【図５】図１の照明システムの回路図である。
【図６】図１の照明システムで採用する発光パネルの給電端子の正面図である。
【図７】給電端子の変形例を示す正面図である。
【図８】給電端子の他の変形例を示す正面図である。
【図９】給電端子のさらに他の変形例を示す断面図である。
【図１０】本発明の実施形態の照明システムの一部断面分解斜視図であり、構造物の側壁と、被固定部材と、発光パネルを示している。
【発明を実施するための形態】
【００３２】
以下さらに本発明の実施形態について説明する。
本実施形態の照明システム１は、図１の様に居住空間２の天井３と、一方の側壁５に採用されている。
即ち図１に示す居住空間２は、天井３に３基の有機ＥＬパネル１０が装着されており、側壁５には、５基の有機ＥＬパネル１０が装着されている。
【００３３】
天井３側と側壁５には、いずれも本発明の照明システム１が採用されている。以下、側壁５側の照明システム１を中心に説明する。
【００３４】
本実施形態の照明システム１は、有機ＥＬパネル１０と、送電部材１１によって構成されてる。また本実施形態では、送電部材１１と側壁５によって被固定部７が構成されている。
【００３５】
有機ＥＬパネル１０は、公知の有機ＥＬ装置と同様の層構成を有し、さらに本実施形態に特有の給電部２０が設けられたものである。
即ち有機ＥＬパネル１０は、図３の様に、透光性を有した基板１２（基材）上に有機ＥＬ素子１３（積層体）を積層し、その上に有機ＥＬ素子１３を封止する無機封止層１５が積層されたものである。
有機ＥＬ素子１３は、図３のように少なくとも第１電極層１６と第２電極層１８との間に実際に発光する機能層１７（有機発光層）を備えたものである。本実施形態の有機ＥＬパネル１０は、少なくとも基板１２側から光を取り出すいわゆる「ボトムエミッション型」を採用しており、有機ＥＬ素子１３は、基板１２側から第１電極層１６、機能層１７、第２電極層１８がこの順に積層されて形成されている。
本実施形態で採用する有機ＥＬパネル１０は、前記した様に「ボトムエミッション型」であり、基板１２の表面側の大部分が発光領域８（図２）となる。
【００３６】
基板１２の材質は、透明性と絶縁性を備えたものであれば、特に限定されるものではなく、例えば、ガラス基板、フレキシブルなフィルム基板や、プラスチック基板などから適宜選択され用いられる。特にガラス基板や透明なフィルム基板は透明性や加工性の良さの点から好適であり、本実施形態では、基板として、ガラス基板を採用している。
【００３７】
第１電極層１６は、透明導電性酸化物によって形成された層であり、消灯時において、透明性を有した層である。具体的には、インジウム錫酸化物（ＩＴＯ）などが採用できる。本実施形態の第１電極層１６は、陽極として使用されており、ＩＴＯで形成されている。
【００３８】
機能層１７は、第１電極層１６と第２電極層１８との間に設けられ、少なくとも一層の有機発光層を備えた層である。本実施形態の機能層１７は、主に有機化合物からなる複数の層から構成されている。この機能層１７は、一般的な有機ＥＬ装置に用いられている低分子系色素材料や、共役系高分子材料などの公知のもので形成することができる。また、この機能層１７は、ホール注入層、ホール輸送層、有機発光層、電子輸送層、電子注入層などの複数の層からなる積層多層構造であってもよい。
【００３９】
第２電極層１８の材質は、特に限定されるものではなく、例えば銀（Ａｇ）やアルミニウム（Ａｌ）などが挙げられる。本実施形態の第２電極層１８は、陰極として使用されており、Ａｌで形成されている。
【００４０】
無機封止層１５の材質は、絶縁性及び封止性を有していれば、特に限定されるものではないが、酸素、炭素、窒素の中から選ばれた１種類以上の元素と、ケイ素元素とからなるシリコン合金により形成されていることが好ましく、Ｓｉ−Ｏ、Ｓｉ−Ｎ、Ｓｉ−Ｈ、Ｎ−Ｈ等の結合を含む窒化珪素や酸化珪素、及び両者の中間固溶体である酸窒化珪素であることが特に好ましい。また、多層構造の無機封止層を使用してもよい。
【００４１】
また本実施形態の有機ＥＬパネル１０では、基板１２の裏面側に給電部２０が設けられている。より詳細には、無機封止層１５の裏面側に給電部２０がある。
給電部２０は、ある程度の剛性を持ち、且つ厚さが薄い給電箱２２を有している。
そして給電箱２２の外側には、複数の給電端子２５，２６が設けられている。給電端子２５，２６は、いずれも基板１２及び給電箱２２に対して垂直方向に延びている。即ち給電端子２５，２６は、有機ＥＬパネル１０の法線方向に立設されている。
なお作図の関係上、４本の給電端子２５，２６を図示しているが、実際の本数はより多い。
【００４２】
給電端子２５，２６には、長短２種類のものが混在している。即ち、全長が長い長寸給電端子２５と、全長が短い短寸給電端子２６が混在している。
給電端子２５，２６は、図６の様に、いずれも針状であって、先端が尖っている。
またいずれの給電端子２５，２６についても、先端部分が、電極部３０，３１となっている。
いずれの給電端子２５，２６も、銅等の導電性に優れた金属で作られているが、長寸給電端子２５は、先端だけに金属が露出し、他の部位は、絶縁材３３で覆われている。
【００４３】
給電箱２２の外側表面には、図３の様に接着剤層３５が設けられている。なお工場から出荷する段階においては、接着剤層３５に図示しない離型紙が取り付けられており、施工現場で離型紙を剥がして接着剤層３５を露出させる。
【００４４】
給電箱２２の中には、定電流装置４０が設けられている。定電流装置４０は、公知の定電流回路４３（図５）を内蔵するものであり、供給電圧の変動や負荷の変動に係わらず、一定の電流を流す回路である。
【００４５】
給電箱２２の中では、配線４５によって給電端子２５，２６が定電流装置４０の入力側に接続されている。なお定電流装置４０には、プラス側の入力端子と、マイナス側の入力端子がある（図示せず）。また定電流装置４０の出力側についても、プラス側とマイナス側がある。
ここで前記した給電端子２５，２６には、全長の長いものと短いものがあるが、全長の長い長寸給電端子２５は、まとめて定電流装置４０のプラス側端子又はマイナス側端子の一方に接続されている。また全長の短い短寸給電端子２６は、まとめて定電流装置４０の他方の端子に接続されている。
また定電流装置４０の出力側は、配線４７，４８によって有機ＥＬ素子１３の第１電極層１６と第２電極層１８に接続されている。
【００４６】
次に、送電部材１１について説明する。送電部材１１は、ある程度の面積を有するシート又は板体である。送電部材１１は、例えば、９００ｍｍ・１８００ｍｍ（いわゆる３・６寸）といった定尺寸法の面積をもっている。
【００４７】
送電部材１１は、絶縁層と、金属層とが交互に積層されたものである。
図２の姿勢を基準として説明すると、送電部材１１は、側壁５側から、接着剤層５０、底側絶縁層５１、奥側給電層５２、中間絶縁層５３、表面側給電層５５及び化粧紙層５６が積層されてものである。
なお工場から出荷する段階においては、接着剤層５０に図示しない離型紙が取り付けられており、施工現場で離型紙を剥がして接着剤層５０を露出させる。
【００４８】
これらの絶縁層の具体的な材料としては、ハンツマン社製Ｐｒｏｂｉｍｅｒ又はこれに類似する絶縁性、密着接合性、剛性を有する材料を用いることができる。
【００４９】
底側絶縁層５１は、硬質であって、貫通力に耐えるものであることが望ましい。
奥側給電層５２は、銅又はアルミの箔又は薄板である。
中間絶縁層５３は、奥側給電層５２や表面側給電層５５に比べて厚さが厚いことが望ましい。また中間絶縁層５３は、底側絶縁層５１よりも厚く、且つ軟質であることが望ましい。
表面側給電層５５は、銅又はアルミの箔又は薄板である。
化粧紙層５６は、電気絶縁性のあるものが利用される。また電気絶縁性を保持させるために、一方の面に絶縁層がコーティングされたものを採用することもできる。
化粧紙層５６は、例えば図２の様な模様や柄があるものであってもよい。
【００５０】
本実施形態では、送電部材１１は、居住空間２の天井３と、一方の側壁５の全面に貼り付けられている。即ち、裏面側の接着剤層５０によって、コンクリートや板の側壁５等に貼られている。
【００５１】
そして本実施形態では、有機ＥＬパネル１０は、送電部材１１の表面側から、差し込まれている。即ち、有機ＥＬパネル１０の背面に設けられた針状の給電端子２５，２６を送電部材１１の表面に押し当て、例えばプラスチックハンマーで、有機ＥＬパネル１０を軽く叩いて給電端子２５，２６を送電部材１１の中に打ち込む。
あるいは、手で押し込んで給電端子２５，２６を送電部材１１の中に押し込む。
本実施形態では、給電端子２５，２６の先端が尖っているので、容易に送電部材１１に差し込むことができる。
【００５２】
給電端子２５，２６が送電部材１１に差し込まれた状態は、図４の様であり、長寸給電端子２５の先端部は、奥側給電層５２に達し、先端部分の電極部３０が、奥側給電層５２と接触している。
また長寸給電端子２５の中間部分は、表面側給電層５５を貫通し、その側面が表面側給電層５５と接触しているが、当該部位は、絶縁材３３で覆われている。そのため長寸給電端子２５は、奥側給電層５２とのみ導通する。
【００５３】
一方、短寸給電端子２６は、全長が短い故に奥側給電層５２５に達せず、その先端部は、表面側給電層５５に止まっている。そのため先端部分の電極部３１が、表面側給電層５５とのみ接触している。
【００５４】
本実施形態の照明システムでは、図５の回路図の様に、送電部材１１に直流が供給される。即ち、本実施形態の照明システムでは、給電ユニット６１を介して送電部材１１に
電力が供給される。ここで給電ユニット６１には、整流回路と、定電圧回路とが内蔵されている。なお定電圧回路は公知の通り、負荷の状況に係わらず、一定の電圧を出力する回路である。
そして給電ユニット６１の入力側端子（図示せず）に、商用電源６０が接続されている。また給電ユニット６１の出力側端子（図示せず）に、送電部材１１の奥側給電層５２と表面側給電層５５が接続されている。
従って、各有機ＥＬパネル１０は、図５の回路図の様に、奥側給電層５２と表面側給電層５５に対して並列に接続されることとなる。また各有機ＥＬパネル１０の有機ＥＬ素子１３には、定電流回路４３を介して一定の電流が供給される。
そのため、各有機ＥＬパネル１０は、均一の明度及び輝度で発光する。
【００５５】
本実施形態によると、有機ＥＬパネル１０の取り付け位置に制約が無いので、レイアウトの自由度が高い。
【００５６】
次に、給電端子の変形例について説明する。
前記した給電端子２５，２６では、長寸給電端子２５にのみ絶縁材３３を設けたが、もちろん、短寸給電端子２６に絶縁材３３を設けてもよい。
また前記した給電端子２５，２６では、長さを変えることによって、接触する給電層５２，５５を違えたが、図７に示す給電端子７０，７１の様に、絶縁材３３の位置を異ならせて、電極部７２，７３の位置を違えてもよい。
【００５７】
また図８に示す給電端子７５，７６の様に、給電端子７５，７６に、逆止構造８０を設けてもよい。例えば、図８の様な鋸刃状の突起を設け、前進側は容易に進むけれども、抜き方向には強い力を要する様な構造を付加してもよい。
【００５８】
また図９に示す様に、一つの給電端子８１に、絶縁部８３を挟んで複数の電極部８２，８５を設けてもよい。
本実施形態では、先端側の電極部８２が、奥側給電層５２と接触し、根元寄りの電極部８５は表面側給電層５５と接触する。
【００５９】
また先の実施形態では、送電部材１１の表面は、平滑であっが、図１０の示す送電部材８７の様に、多数の下孔８８が設けられていてもよい。
【符号の説明】
【００６０】
１  照明システム
５  側壁
７  被固定部
１０  有機ＥＬパネル
１１，８７  送電部材
１２  基板
１３  有機ＥＬ素子
１５  無機封止層
１７  機能層
２０  給電部
２５  長寸給電端子
２６  短寸給電端子
３０，３１，７２，７３，８２，８５  電極部
３３，８３  絶縁材
３５  接着剤層
４０  定電流装置
４３  定電流回路
５０  接着剤層
５１  底側絶縁層
５２  奥側給電層
５３  中間絶縁層
５５  表面側給電層
５６  化粧紙層
７０，７１，７５，７６，８１  給電端子
８０  逆止構造
【図１】
2014179204.tif 000003
【図２】
2014179204.tif 000004
【図３】
2014179204.tif 000005
【図４】
2014179204.tif 000006
【図５】
2014179204.tif 000007
【図６】
2014179204.tif 000008
【図７】
2014179204.tif 000009
【図８】
2014179204.tif 000010
【図９】
2014179204.tif 000011
【図１０】
2014179204.tif 000012